(57)【要約】【課題】ユーザが複雑な操作をすることなく、自動で災害情報の配信を受けることができる携帯通信端末および情報収集システムを提供すること。【解決手段】携帯電話機１は、無線ネットワークに接続可能な通信部４０と、災害発生時にＢＣＭＣＳにより配信される災害情報番組の受信パラメータを予め記憶する記憶部６０と、通信部４０にて、ＢＣＭＣＳよりも小容量のデータ配信を行うＢＣＳＭＳにより通知される番組配信時刻情報を受信すると、当該番組配信時刻情報に基づいて、記憶部６０に受信パラメータが記憶されている災害情報番組の配信時刻を登録する登録部３１と、登録部３１により登録された配信時刻が到来したことに応じて、災害情報番組の受信を通信部４０にて行わせる番組受信部３２と、を備える。【選択図】図３
2011071941.tif 000002
【特許請求の範囲】
【請求項１】
無線ネットワークに接続可能な無線通信部と、
災害発生時に第１の情報配信サービスにより配信される災害情報の受信パラメータを予め記憶する番組情報記憶部と、
前記無線通信部にて、前記第１の情報配信サービスよりも小容量のデータ配信を行う第２の情報配信サービスにより通知される配信時刻情報を受信すると、当該配信時刻情報に基づいて、前記番組情報記憶部に前記受信パラメータが記憶されている災害情報の配信時刻を登録する登録部と、
前記登録部により登録された配信時刻が到来したことに応じて、前記災害情報の受信を前記無線通信部にて行わせる番組受信部と、を備える携帯通信端末。
【請求項２】
前記第１の情報配信サービスは、特定の配信時刻に特定チャネルにて配信されるサービスであり、前記第２の情報配信サービスは、不特定時刻に前記第１の情報配信サービスよりも小容量のデータ配信を行うサービスであることを特徴とする請求項１に記載の携帯通信端末。
【請求項３】
前記第１の情報配信サービスは、ＣＤＭＡ２０００＿１ｘ＿ＥＶＤＯにおけるＢＣＭＣＳ（Ｂｒｏａｄｃａｓｔ  Ｍｕｌｔｉｃａｓｔ  Ｓｅｒｖｉｃｅ）であり、前記第２の情報配信サービスは、前記ＣＤＭＡ２０００＿１ｘ＿ＥＶＤＯにおけるＢＣＳＭＳ（Ｂｒｏａｄｃａｓｔ  Ｓｈｏｒｔ  Ｍｅｓｓａｇｅ  Ｓｅｒｖｉｃｅ）であることを特徴とする請求項１または請求項２に記載の携帯通信端末。
【請求項４】
前記無線通信部により前記災害情報を受信する際、前記災害情報に対応する報知情報を受信したことに応じて、端末情報を含む登録メッセージを前記無線通信部に送信させる端末情報送信部をさらに備える請求項１から請求項３のいずれか１項に記載の携帯通信端末。
【請求項５】
前記登録メッセージは、ＣＤＭＡ２０００＿１ｘ＿ＥＶＤＯにおけるＢＣＭＣＳにより提供される報知情報（Ｂｒｏａｄｃａｓｔ  Ｏｖｅｒｈｅａｄ  Ｍｅｓｓａｇｅ）において、所定のパラメータ（Ｒｅｇｉｓｔｅｒ  Ｆｏｒ  Ｐａｇｉｎｇ）が設定されていることに応じて送信されるメッセージ（ＢＣＭＣＳ  Ｆｌｏｗ  Ｒｅｇｉｓｔｒａｔｉｏｎ  Ｍｅｓｓａｇｅ）であることを特徴とする請求項４に記載の携帯通信端末。
【請求項６】
操作部と、
前記無線通信部により災害情報を受信した際、前記操作部により所定の操作入力があれば、当該操作入力に応じた安否情報を前記無線通信部に送信させる安否情報送信部と、をさらに備える請求項１から請求項５のいずれか１項に記載の携帯通信端末。
【請求項７】
前記災害情報を受信したことに応じて計時を開始する計時部と、
前記計時部により所定時間の経過が検知されたことに応じて周囲へ報知する報知部と、をさらに備える請求項１から請求項６のいずれか１項に記載の携帯通信端末。
【請求項８】
現在地を取得する測位部と、
前記測位部により取得された現在地を前記無線通信部により送信させる現在地送信部と、をさらに備える請求項１から請求項７のいずれかに記載の携帯通信端末。
【請求項９】
携帯通信端末、災害情報配信サーバ、メッセージ配信サーバ、基地局および情報蓄積サーバを備え、災害発生地域にある前記携帯通信端末の利用ユーザに関する情報を収集する情報収集システムであって、
前記携帯通信端末は、
無線ネットワークに接続可能な無線通信部と、
災害発生時に第１の情報配信サービスにより配信される災害情報の受信パラメータを予め記憶する番組情報記憶部と、
前記無線通信部にて、前記第１の情報配信サービスよりも小容量のデータ配信を行う第２の情報配信サービスにより通知される配信時刻情報を受信すると、当該配信時刻情報に基づいて、前記番組情報記憶部に前記受信パラメータが記憶されている災害情報の配信時刻を登録する登録部と、
前記登録部により登録された配信時刻が到来したことに応じて、前記災害情報の受信を前記無線通信部にて行わせる番組受信部と、
前記無線通信部により前記災害情報を受信する際、前記災害情報に対応する報知情報を受信したことに応じて、端末情報を含む登録メッセージを前記無線通信部により前記基地局へ送信させる端末情報送信部と、を備え、
前記災害情報配信サーバは、
災害発生時に前記災害情報および当該災害情報の報知情報を、当該災害発生地域の基地局を介して配信する災害情報配信部を備え、
前記メッセージ配信サーバは、
前記災害情報の配信時刻情報を、前記基地局を介して通知する配信時刻通知部を備え、
前記情報蓄積サーバは、
前記基地局が前記携帯通信端末から受信した登録メッセージに基づいて、当該携帯通信端末の識別データを記憶する災害情報記憶部を備える情報収集システム。
【請求項１０】
前記携帯通信端末は、
操作部と、
前記無線通信部により災害情報を受信した際、前記操作部により所定の操作入力があれば、当該操作入力に応じた安否情報を前記無線通信部により前記基地局へ送信させる安否情報送信部と、をさらに備え、
前記情報蓄積サーバの前記災害情報記憶部は、前記基地局が前記携帯通信端末から受信した安否情報を、当該携帯通信端末の識別データと対応付けて記憶することを特徴とする請求項９に記載の情報収集システム。
【発明の詳細な説明】
【技術分野】
【０００１】
本発明は、災害情報を取得する携帯通信端末および携帯通信端末のユーザに関する情報を収集する情報収集システムに関する。
【背景技術】
【０００２】
従来、ＣＤＭＡ２０００＿１ｘ＿ＥＶＤＯの通信プロトコルにおいて、基地局の通信エリア内の全ユーザに向けてデータを一斉配信する、ＢＣＭＣＳ（Ｂｒｏａｄｃａｓｔ  Ｍｕｌｔｉｃａｓｔ  Ｓｅｒｖｉｃｅ）と呼ばれるサービスが提供されている。このサービスでは、ユーザは、予め受信したいＢＣＭＣＳ番組の情報を携帯通信端末に登録しておく。携帯通信端末は、登録した番組の配信開始時刻になると、通信エリア内で送信されている報知情報（Ｂｒｏａｄｃａｓｔ  Ｏｖｅｒｈｅａｄ  Ｍｅｓｓａｇｅ、ＢＯＭ）を受信し、登録した番組が配信されていることを確認できたらデータ受信を開始する。
【０００３】
特許文献１では、このＢＣＭＣＳを利用した災害情報の配信システムが提案されている。このシステムでは、災害発生時に、携帯通信端末がユーザの操作に応じて基地局へメッセージを送信し、基地局は、メッセージを受信したことに応じて災害情報をＢＣＭＣＳにより送信する。
【先行技術文献】
【特許文献】
【０００４】
【特許文献１】特開２００７−１２４４１３号公報
【発明の概要】
【発明が解決しようとする課題】
【０００５】
しかしながら、特許文献１では、ユーザが手動で災害情報の取得をメッセージ送信により要求するため、ユーザがメッセージを送信しなかった場合、または災害による負傷等のためにメッセージを送信できなかった場合には、災害情報を取得できなかった。
【０００６】
本発明は、ユーザが複雑な操作をすることなく、自動で災害情報の配信を受けることができる携帯通信端末および情報収集システムを提供することを目的とする。
【課題を解決するための手段】
【０００７】
本発明に係る携帯通信端末は、無線ネットワークに接続可能な無線通信部と、災害発生時に第１の情報配信サービスにより配信される災害情報の受信パラメータを予め記憶する番組情報記憶部と、前記無線通信部にて、前記第１の情報配信サービスよりも小容量のデータ配信を行う第２の情報配信サービスにより通知される配信時刻情報を受信すると、当該配信時刻情報に基づいて、前記番組情報記憶部に前記受信パラメータが記憶されている災害情報の配信時刻を登録する登録部と、前記登録部により登録された配信時刻が到来したことに応じて、前記災害情報の受信を前記無線通信部にて行わせる番組受信部と、を備える。
【０００８】
また、前記第１の情報配信サービスは、特定の配信時刻に特定チャネルにて配信されるサービスであり、前記第２の情報配信サービスは、不特定時刻に前記第１の情報配信サービスよりも小容量のデータ配信を行うサービスであることが好ましい。
【０００９】
また、前記第１の情報配信サービスは、ＣＤＭＡ２０００＿１ｘ＿ＥＶＤＯにおけるＢＣＭＣＳ（Ｂｒｏａｄｃａｓｔ  Ｍｕｌｔｉｃａｓｔ  Ｓｅｒｖｉｃｅ）であり、前記第２の情報配信サービスは、前記ＣＤＭＡ２０００＿１ｘ＿ＥＶＤＯにおけるＢＣＳＭＳ（Ｂｒｏａｄｃａｓｔ  Ｓｈｏｒｔ  Ｍｅｓｓａｇｅ  Ｓｅｒｖｉｃｅ）であることが好ましい。
【００１０】
また、本発明に係る携帯通信端末は、前記無線通信部により前記災害情報を受信する際、前記災害情報に対応する報知情報を受信したことに応じて、端末情報を含む登録メッセージを前記無線通信部に送信させる端末情報送信部をさらに備えることが好ましい。
【００１１】
また、前記登録メッセージは、ＣＤＭＡ２０００＿１ｘ＿ＥＶＤＯにおけるＢＣＭＣＳにより提供される報知情報（Ｂｒｏａｄｃａｓｔ  Ｏｖｅｒｈｅａｄ  Ｍｅｓｓａｇｅ）において、所定のパラメータ（Ｒｅｇｉｓｔｅｒ  Ｆｏｒ  Ｐａｇｉｎｇ）が設定されていることに応じて送信されるメッセージ（ＢＣＭＣＳ  Ｆｌｏｗ  Ｒｅｇｉｓｔｒａｔｉｏｎ  Ｍｅｓｓａｇｅ）であることが好ましい。
【００１２】
また、本発明に係る携帯通信端末は、操作部と、前記無線通信部により災害情報を受信した際、前記操作部により所定の操作入力があれば、当該操作入力に応じた安否情報を前記無線通信部に送信させる安否情報送信部と、をさらに備えることが好ましい。
【００１３】
また、本発明に係る携帯通信端末は、前記災害情報を受信したことに応じて計時を開始する計時部と、前記計時部により所定時間の経過が検知されたことに応じて周囲へ報知する報知部と、をさらに備えることが好ましい。
【００１４】
また、本発明に係る携帯通信端末は、現在地を取得する測位部と、前記測位部により取得された現在地を前記無線通信部により送信させる現在地送信部と、をさらに備えることが好ましい。
【００１５】
本発明に係る情報収集システムは、携帯通信端末、災害情報配信サーバ、メッセージ配信サーバ、基地局および情報蓄積サーバを備え、災害発生地域にある前記携帯通信端末の利用ユーザに関する情報を収集する情報収集システムであって、前記携帯通信端末は、無線ネットワークに接続可能な無線通信部と、災害発生時に第１の情報配信サービスにより配信される災害情報の受信パラメータを予め記憶する番組情報記憶部と、前記無線通信部にて、前記第１の情報配信サービスよりも小容量のデータ配信を行う第２の情報配信サービスにより通知される配信時刻情報を受信すると、当該配信時刻情報に基づいて、前記番組情報記憶部に前記受信パラメータが記憶されている災害情報の配信時刻を登録する登録部と、前記登録部により登録された配信時刻が到来したことに応じて、前記災害情報の受信を前記無線通信部にて行わせる番組受信部と、前記無線通信部により前記災害情報を受信する際、前記災害情報に対応する報知情報を受信したことに応じて、端末情報を含む登録メッセージを前記無線通信部により前記基地局へ送信させる端末情報送信部と、を備え、前記災害情報配信サーバは、災害発生時に前記災害情報および当該災害情報の報知情報を、当該災害発生地域の基地局を介して配信する災害情報配信部を備え、前記メッセージ配信サーバは、前記災害情報の配信時刻情報を、前記基地局を介して通知する配信時刻通知部を備え、前記情報蓄積サーバは、前記基地局が前記携帯通信端末から受信した登録メッセージに基づいて、当該携帯通信端末の識別データを記憶する災害情報記憶部を備える。
【００１６】
また、本発明に係る情報収集システムにおいて、前記携帯通信端末は、操作部と、前記無線通信部により災害情報を受信した際、前記操作部により所定の操作入力があれば、当該操作入力に応じた安否情報を前記無線通信部により前記基地局へ送信させる安否情報送信部と、をさらに備え、前記情報蓄積サーバの前記災害情報記憶部は、前記基地局が前記携帯通信端末から受信した安否情報を、当該携帯通信端末の識別データと対応付けて記憶することが好ましい。
【発明の効果】
【００１７】
本発明によれば、携帯通信端末において、ユーザが複雑な操作をすることなく、自動で災害情報の配信を受けることができる。
【図面の簡単な説明】
【００１８】
【図１】本発明の実施形態に係る情報収集システムの構成を示す図である。
【図２】本発明の実施形態に係る携帯電話機の外観斜視図である。
【図３】本発明の実施形態に係る携帯電話機の機能を示すブロック図である。
【図４】本発明の実施形態に係る番組配信時刻情報を受信した携帯電話機の表示画面例を示す図である。
【図５】本発明の実施形態に係る災害情報番組を受信した携帯電話機の表示画面例を示す図である。
【図６】本発明の実施形態に係る安否情報蓄積サーバにより提供される災害者情報の画面表示例である。
【図７】本発明の実施形態に係る情報収集システムにおける処理の流れを示すシーケンス図である。
【発明を実施するための形態】
【００１９】
以下、本発明の好適な実施形態について説明する。なお、本実施形態では、携帯通信端末の一例として、携帯電話機１を説明する。
【００２０】
図１は、本実施形態に係る情報収集システム１００の構成を示す図である。
基地局１１０、ＢＣＭＣＳ番組配信サーバ１２０（災害情報配信サーバ）、ＢＣＳＭＳ配信サーバ（メッセージ配信サーバ）および安否情報蓄積サーバ１４０（情報蓄積サーバ）は、ネットワークを介して互いに接続されている。
【００２１】
また、基地局１１０は、自身の通信エリア内の携帯電話機１（１ａおよび１ｂ）と無線通信を行う。具体的には、携帯電話機１は、所定以上の電界強度が得られる基地局１１０に対して自端末の位置登録を行い、基地局１１０は、位置登録が行われた携帯電話機１を通信対象とする。
【００２２】
ＢＣＭＣＳ番組配信サーバ１２０は、ＢＣＭＣＳ（第１の情報配信サービス）の番組配信を管理するサーバである。ＢＣＭＣＳ番組配信サーバ１２０（災害情報配信部）からの番組配信要求に応じて、基地局１１０は、エリア内へ報知情報（Ｂｒｏａｄｃａｓｔ  Ｏｖｅｒｈｅａｄ  Ｍｅｓｓａｇｅ、ＢＯＭ）を送信する。報知情報には、所定のパラメータ（Ｒｅｇｉｓｔｅｒ  Ｆｏｒ  Ｐａｇｉｎｇ）があり、このパラメータに「１」が設定されている場合には、番組を受信する携帯電話機１に対して、登録メッセージ（ＢＣＭＣＳ  Ｆｌｏｗ  Ｒｅｇｉｓｔｒａｔｉｏｎ  Ｍｅｓｓａｇｅ）の送信を要求する。
【００２３】
そして、基地局１１０は、携帯電話機１から登録メッセージを受信したことに応じて、配信しようとしているＢＣＭＣＳ番組を受信する携帯電話機１の情報を知る。この登録メッセージをいずれの携帯電話機１からも受信しなかった場合には、ＢＣＭＣＳ番組の受信を待機している携帯電話機１が存在しないと判断し、基地局１１０は、ＢＣＭＣＳ番組の送信を停止することができる。
【００２４】
また、携帯電話機１は、ＢＣＭＣＳ番組の受信中に、定期的に基地局１１０に対して登録メッセージを送信することにより、現在ＢＣＭＣＳ番組を受信中であることを基地局１１０へ通知することができる。基地局１１０は、一定時間、携帯電話機１からの登録メッセージを受信しなかった場合、配信中のＢＣＭＣＳ番組を受信している携帯電話機１が存在しないと判断し、ＢＣＭＣＳ番組の送信を停止することができる。
【００２５】
ＢＣＳＭＳ配信サーバ１３０は、ＢＣＳＭＳ（Ｂｒｏａｄｃａｓｔ  Ｓｈｏｒｔ  Ｍｅｓｓａｇｅ  Ｓｅｒｖｉｃｅ、第２の情報配信サービス）のメッセージ配信を管理するサーバである。ＢＣＳＭＳでは、エリア内で位置登録を行った不特定多数の携帯電話機１に対して、ショートメッセージと呼ばれる限られた容量（例えば、１４０バイト）のメッセージを送信する。
【００２６】
また、ＢＣＳＭＳ配信サーバ１３０（配信時刻通知部）は、このＢＣＳＭＳで配信されるショートメッセージにより、前述のＢＣＭＣＳ番組の配信開始時刻を含む番組配信時刻情報を通知する。これにより、予め配信時刻が定まらない災害情報番組等のＢＣＭＣＳ番組の配信開始時刻を、不特定多数の携帯電話機１へ通知して受信を待機させることができる。
【００２７】
安否情報蓄積サーバ１４０（災害情報記憶部）は、前述の登録メッセージを受信した基地局１１０から、送信元の携帯電話機１の端末情報を取得して記憶する。また、安否情報蓄積サーバ１４０は、ＢＣＭＣＳ番組を受信した携帯電話機１から、ユーザの操作入力に応じて通知される安否情報を受信し、端末情報と対応付けて記憶する。
【００２８】
このように、情報収集システム１００では、安否確認を行うためのＢＣＭＣＳ番組を災害発生地域で配信し、このＢＣＭＣＳ番組を受信した携帯電話機１（１ａおよび１ｂ）へ安否情報の通知を要求する。ユーザによる操作が行われた携帯電話機１ａからは安否情報の通知がされ、ユーザによる操作が行われなかった携帯電話機１ｂからは安否情報の通知がされない。そして、この安否情報の有無が安否情報蓄積サーバ１４０に記憶される。
【００２９】
これにより、安否情報蓄積サーバ１４０は、自動的に登録される携帯電話機１の端末情報、すなわち災害発生地域にある携帯電話機１（１ａおよび１ｂ）と、ユーザの操作入力に応じて登録される安否情報とを、災害者の家族等へ提供することができる。
【００３０】
図２は、本実施形態に係る携帯電話機１（携帯通信端末）の外観斜視図である。
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００３１】
また、表示部側筐体３は、表面部２０に、各種情報を表示するための表示部２１と、通話の相手側の音声を出力するレシーバ２２と、を備えて構成されている。
【００３２】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００３３】
図３は、本実施形態に係る携帯電話機１の機能を示すブロック図である。携帯電話機１は、操作部１１と、表示部２１と、制御部３０と、通信部４０（無線通信部）と、アンテナ４１と、音声制御部５０（報知部）と、記憶部６０（番組情報記憶部）と、タイマ７０（計時部）と、を備える。
【００３４】
制御部３０は、携帯電話機１の全体を制御しており、例えば、表示部２１、通信部４０、音声制御部５０等に対して所定の制御を行う。また、制御部３０は、操作部１１等から入力を受け付けて、各種処理を実行する。そして、制御部３０は、処理実行の際には、記憶部６０を制御し、各種プログラムおよびデータの読み出し、およびデータの書き込みを行う。なお、本実施形態に係る制御部３０の各機能は後述する。
【００３５】
通信部４０は、所定の使用周波数帯（例えば、２ＧＨｚ帯や８００ＭＨｚ帯等）で外部装置（基地局１１０）と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。
【００３６】
ここで、通信部４０は、データ通信専用の通信プロトコルであるＣＤＭＡ２０００＿１ｘ＿ＥＶＤＯに対応している。通信部４０は、制御部３０からの指令に基づいて、このプロトコルにより、ＢＣＭＣＳの配信データ（災害情報番組）およびＢＣＳＭＳの配信データ（災害情報番組の配信時刻情報通知）を受信する。
【００３７】
なお、大容量の情報配信サービス（第１の情報配信サービス）の例として、ＣＤＭＡ２０００＿１ｘのＥＶＤＯにおけるＢＣＭＣＳを例に説明を行うが、これに限定されるものではない。例えば、３ＧＰＰ仕様においてＵＭＴＳ用として最初にＲｅｌｅａｓｅ６で登場したＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）、ＬＴＥ（Ｌｏｎｇ  Ｔｅｒｍ  Ｅｖｏｌｕｔｉｏｎ）用にＲｅｌｅａｓｅ９で定義される予定のｅＭＢＭＳであってもよい。以降、説明の簡略化のため、ＣＤＭＡ２０００＿１ｘのＥＶＤＯにおけるＢＣＭＣＳを例に用いて説明を行う。
【００３８】
音声制御部５０は、制御部３０の制御に従って、通信部４０から供給された信号に対して所定の音声処理を行い、処理後の信号をレシーバ２２に出力する。レシーバ２２は、音声制御部５０から供給された信号を外部に出力する。なお、この信号は、レシーバ２２に代えて、または、レシーバ２２と共に、スピーカ（図示せず）から出力されるとしてもよい。
【００３９】
また、音声制御部５０は、制御部３０の制御に従って、マイク１２から入力された信号を処理し、処理後の信号を通信部４０に出力する。通信部４０は、音声制御部５０から供給された信号に所定の処理を行い、処理後の信号をアンテナ４１より出力する。
【００４０】
さらに、音声制御部５０は、報知部としても機能する。具体的には、音声制御部５０は、災害情報番組を受信してから操作入力がないまま所定時間が経過したことをタイマ７０により検知すると、所定の音声を出力することにより、携帯電話機１の周囲へ報知を行う。すなわち、音声制御部５０は、安否情報の通知に係る操作入力がされていない携帯電話機１の存在を周囲へ報知することができる。
【００４１】
記憶部６０は、例えば、ワーキングメモリを含み、制御部３０による演算処理に利用される。また、本実施形態に係る各種プログラム等を記憶する。さらに、記憶部６０は、災害発生時にＢＣＭＣＳにより配信される災害情報番組の識別データ（例えば、周波数、チャネル、フローＩＤ等）を受信パラメータとして予め記憶しており、災害発生時にＢＣＳＭＳにより通知される番組配信時刻情報を対応付けて記憶する。なお、記憶部６０は、着脱可能な外部メモリを兼ねていてもよい。
【００４２】
タイマ７０は、携帯電話機１がＢＣＭＣＳにより災害情報番組を受信したことに応じて起動されて計時を開始する。そして、タイマ７０は、操作部１１により操作入力を受け付けると計時を停止し、操作入力がないまま所定時間が満了するまで、時間経過を制御部３０へ通知する。
【００４３】
次に、制御部３０の機能を詳述する。制御部３０は、登録部３１と、番組受信部３２と、端末情報送信部３３と、安否情報送信部３４と、測位部３５と、現在地送信部３６と、を備える。
【００４４】
登録部３１は、災害発生後に災害発生地域の基地局１１０からＢＣＳＭＳにより通知される番組配信時刻情報に基づいて、記憶部６０に受信パラメータが記憶されている災害情報番組の配信時刻を登録する。これにより、制御部３０は、災害情報番組の配信開始時刻を取得することができる。
【００４５】
図４は、本実施形態に係る番組配信時刻情報を受信した携帯電話機１の表示画面例を示す図である。
この例では、災害情報番組の配信時刻情報として、開始日時および終了時刻が表示されている。これにより、携帯電話機１は、災害情報が配信されることをユーザに知らせることができ、ＢＣＭＣＳの受信処理を妨げるおそれのある通話等の実行を控えさせることができる。
【００４６】
番組受信部３２は、登録部３１により登録された配信時刻が到来したことに応じて、通信部４０を制御し、ＢＣＭＣＳにより災害情報番組の受信を行う。
【００４７】
端末情報送信部３３は、災害情報番組の報知情報（ＢＯＭ）を受信したことに応じて、所定のパラメータ（Ｒｅｇｉｓｔｅｒ  Ｆｏｒ  Ｐａｇｉｎｇ）を参照し、このパラメータが「１」であることを確認すると、携帯電話機１の端末情報を含む登録メッセージを基地局１１０へ送信する。
【００４８】
安否情報送信部３４は、番組受信部３２により受信した災害情報番組に基づいて、所定の操作入力に応じた安否情報を基地局１１０へ送信する。
【００４９】
図５は、本実施形態に係る災害情報番組を受信した携帯電話機１の表示画面例を示す図である。
この例では、携帯電話機１の表示部２１は、地震発生地域のユーザに対して、安否情報の通知を要求する入力フォームを表示している。
【００５０】
携帯電話機１のユーザは、この入力フォームに対して、無事であるか負傷しているかの選択入力を行う。そして、安否情報送信部３４は、安否情報送信ボタンの押下に応じて、この選択情報を安否情報として基地局１１０へ通知する。通知された安否情報は、安否情報蓄積サーバ１４０へ送信され、携帯電話機１の端末情報と共に記憶される。
【００５１】
図６は、本実施形態に係る安否情報蓄積サーバ１４０により提供される災害者情報の画面表示例である。この画面は、災害者の家族や親類等が使用する通信端末からの照会に応じて、この通信端末に表示される。
【００５２】
この例では、携帯電話機１の端末情報としての電話番号と、安否情報の有無とその内容（無事であるか負傷しているか）とが表示されている。ここで、携帯電話機１（図１の携帯電話機１ｂ）から安否情報の通知がされていない場合には、安否情報が無い旨が表示されるので、携帯電話機１ｂのユーザが端末を操作できない程度の被害を受けている可能性を示している。
【００５３】
また、安否情報蓄積サーバ１４０は、安否情報が無いためユーザの安全が確認できない場合には、通信端末からの探索要求を受け付けることもできる。具体的には、「ＧＰＳ探索する」が選択されたことに応じて、携帯電話機１ｂの位置情報を取得する。
【００５４】
図３に戻り、測位部３５は、ＧＰＳ（Ｇｌｏｂａｌ  Ｐｏｓｉｔｉｏｎｉｎｇ  Ｓｙｓｔｅｍ）を用いて、携帯電話機１の現在地を取得する。なお、測位部３５は、測位に必要なＧＰＳ衛星を捕捉できない場合には、位置登録を行った基地局１１０の所在地や受信電波の電界強度等により、現在地を算出してもよい。
【００５５】
現在地送信部３６は、測位部３５により取得された現在地を基地局１１０へ送信する。この現在地情報は、安否情報蓄積サーバ１４０に提供され、前述の通信端末からの探索要求を受け付けたことに応じて、この通信端末へ通知される。
【００５６】
図７は、本実施形態に係る情報収集システム１００における処理の流れを示すシーケンス図である。
【００５７】
ステップＳ１では、災害が発生する前に予め、携帯電話機１のユーザは、ＢＣＭＣＳ番組配信サーバ１２０にアクセスし、災害情報ＢＣＭＣＳ番組の受信パラメータを携帯電話機１に登録する。
【００５８】
ステップＳ２では、地震等の災害が発生したため、ＢＣＭＣＳ番組配信サーバ１２０は、災害発生地域における災害情報ＢＣＭＣＳ番組の配信時刻を決定し、ＢＣＳＭＳ配信サーバ１３０へ配信時刻の通知を要求する。
【００５９】
ステップＳ３では、ＢＣＳＭＳ配信サーバ１３０は、エリア内の携帯電話機１へ、災害情報ＢＣＭＣＳ番組の配信時刻情報を、基地局１１０を介して通知する。
【００６０】
ステップＳ４では、携帯電話機１は、ステップＳ１で登録した受信パラメータに対応付けて、災害情報ＢＣＭＣＳ番組の配信時刻を登録する。
【００６１】
ステップＳ５では、ＢＣＭＣＳ番組配信サーバ１２０は、災害情報ＢＣＭＣＳ番組の配信データを生成し、配信準備を開始する。
【００６２】
ステップＳ６では、ＢＣＭＣＳ番組配信サーバ１２０は、ステップＳ２で決定した災害情報ＢＣＭＣＳ番組の配信開始時刻の前（例えば、５分前）になると、番組配信の準備を、災害発生地域を通信エリアとしている基地局１１０へ要求する。
【００６３】
ステップＳ７では、基地局１１０は、エリア内の携帯電話機１へ、パラメータ（Ｒｅｇｉｓｔｅｒ  Ｆｏｒ  Ｐａｇｉｎｇ）を「１」に設定した上で、報知情報（ＢＯＭ）を送信する。
【００６４】
ステップＳ８では、携帯電話機１は、ステップＳ７の報知情報を受信すると、自動的に、自端末の端末情報を含む登録メッセージを、基地局１１０へ送信する。
【００６５】
ステップＳ９では、基地局１１０は、ステップＳ８で受信した登録メッセージから携帯電話機１の端末情報を抽出し、この端末情報を安否情報蓄積サーバ１４０へ登録する処理を実行する。
【００６６】
ステップＳ１０では、基地局１１０は、ステップＳ９の登録処理において、携帯電話機１の端末情報を安否情報蓄積サーバ１４０へ送信する。安否情報蓄積サーバ１４０は、この端末情報（例えば、電話番号）を記憶することにより、災害発生地域の基地局１１０配下にある携帯電話機１の情報を蓄積することができる。
【００６７】
ステップＳ１１では、ＢＣＭＣＳ番組配信サーバ１２０は、基地局１１０を介して、災害情報ＢＣＭＣＳ番組を、災害発生地域の携帯電話機１へ配信する。
【００６８】
ステップＳ１２では、携帯電話機１は、災害情報ＢＣＭＣＳ番組の受信を開始すると、タイマ７０を起動して計時を開始する。
【００６９】
ステップＳ１３では、携帯電話機１は、受信した災害情報ＢＣＭＣＳ番組に基づいて、ユーザが無事であるか否かの安否情報の入力をユーザに促し、ユーザが携帯電話機１を操作可能であるか否かを判定する。ユーザが携帯電話機１を操作可能である場合（ＹＥＳの場合）には、ステップＳ１４により、安否情報が携帯電話機１に入力される。
【００７０】
ステップＳ１５では、携帯電話機１は、ステップＳ１４の安否情報の入力を受け付けたことに応じて、タイマ７０を停止させる。
【００７１】
ステップＳ１６では、携帯電話機１は、ステップＳ１４で受け付けた安否情報を基地局１１０へ通知する。
【００７２】
一方、ステップＳ１３において、ユーザが携帯電話機１を操作できなかった場合、ステップＳ１７では、安否情報の入力がないままタイマ７０が満了したか否かを判定する。この判定がＹＥＳの場合は、携帯電話機１は、ステップＳ１８において、音声制御部５０によりアラームを鳴動させ、周囲へ携帯電話機１の場所を報知する。なお、このアラームは、携帯電話機１のユーザへ安否情報の入力を促すための報知手段としても機能する。この場合の報知手段はアラーム鳴動には限らず、バイブレーションやＬＥＤの発光等、種々のものであってよい。
【００７３】
ステップＳ１９では、基地局１１０は、携帯電話機１から安否情報の通知を受信したか否かを判定する。この判定がＹＥＳの場合は、基地局１１０は、ステップＳ２０において、安否情報を安否情報蓄積サーバ１４０へ登録する。
【００７４】
本実施形態によれば、携帯電話機１は、ＢＣＳＭＳにより番組配信時刻を自動で登録するので、ユーザが操作することなく、自動でＢＣＭＣＳにより災害情報番組の配信を受けることができる。また、携帯電話機１は、この災害情報番組の報知情報を受信したことに応じて、自動で登録メッセージを送信するので、安否情報蓄積サーバ１４０において、災害発生地域にいるユーザの情報を収集することができる。
【００７５】
さらに、携帯電話機１は、配信された災害情報番組に基づいて、ユーザからの安否情報入力を受け付けるので、ユーザが携帯電話機１を操作できる場合には、入力された安否情報を安否情報蓄積サーバ１４０が収集することができる。また、ユーザが負傷等のため携帯電話機１を操作できない場合には、安否情報が入力されていないことが安否情報蓄積サーバ１４０において把握できるので、このユーザを救急の対象として迅速に対応できる可能性がある。
【００７６】
また、携帯電話機１は、安否情報の入力がないまま所定の時間が経過した場合に、アラームの鳴動により報知を行うので、ユーザが負傷等のため携帯電話機１を操作できない場合に、周囲へ居場所を知らせることができる。
【００７７】
また、安否情報蓄積サーバ１４０は、携帯電話機１による測位結果を受信するので、災害発生地域において安否情報が入力されていないユーザの居場所を特定するための補助になり得る。
【００７８】
なお、災害情報番組の識別データや配信時刻情報は、災害が明らかに去った、あるいは誤報であった場合に、ネットワーク側からＢＣＳＭＳでの情報削除を指示し、再度ＢＣＳＭＳにより配信情報の停止が通知されると消去される。また、個人的に安全が確保でき、安全を一通りの知人に伝え終わった場合には、ユーザ自身の操作入力により、災害情報番組の自動受信を解除する設定が行なわれると災害情報番組の識別データや配信時刻情報が消去されてもよい。このように、少ない手数で災害情報番組の受信に必要な情報を削除することにより、不必要な配信情報の受信に電力消費が生じてしまうことを防止できる。
【００７９】
以上、好適な実施形態について説明したが、本発明は前述した実施形態に限定されることなく種々の形態で実施することができる。また、前述の実施形態に記載された効果は、本発明から生じる最も好適な効果を列挙したに過ぎず、本発明による効果は、前述のものに限定されない。
【００８０】
例えば、前述の実施形態において、携帯通信端末として携帯電話機１について説明しているが、携帯通信端末はこれに限定されず、本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ等の様々な携帯通信端末に適用可能である。
【００８１】
また、前述の実施形態において、携帯電話機１は、ヒンジ機構４により折り畳み可能な型式としたが、これには限られない。携帯電話機１は、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが１つの筐体に配置され連結部を有さない型式（ストレートタイプ）でもよい。また、携帯電話機１は、開閉および回転可能ないわゆる２軸ヒンジタイプであってもよい。
【符号の説明】
【００８２】
１、１ａ、１ｂ  携帯電話機（携帯通信端末）
１１  操作部
２１  表示部
３０  制御部
３１  登録部
３２  番組受信部
３３  端末情報送信部
３４  安否情報送信部
３５  測位部
３６  現在地送信部
４０  通信部（無線通信部）
５０  音声制御部（報知部）
６０  記憶部（番組情報記憶部）
７０  タイマ（計時部）
１００  情報収集システム
１１０  基地局
１２０  ＢＣＭＣＳ番組配信サーバ（災害情報配信サーバ、災害情報配信部）
１３０  ＢＣＳＭＳ配信サーバ（メッセージ配信サーバ、配信時刻通知部）
１４０  安否情報蓄積サーバ（情報蓄積サーバ、災害情報記憶部）
【図１】
2011071941.tif 000003
【図２】
2011071941.tif 000004
【図３】
2011071941.tif 000005
【図４】
2011071941.tif 000006
【図５】
2011071941.tif 000007
【図６】
2011071941.tif 000008
【図７】
2011071941.tif 000009